(57)【要約】      （修正有）【課題】タッチパッドのように、表示部と検出部が重なっていない入力装置を用いた場合でも、直感的な操作が可能な表示制御装置を提供する。【解決手段】表示制御装置１０において、ユーザに提示する情報を表示部１１に表示し、表示部から離れて設置されるタッチパッド等の検出部１２におけるユーザによる接触の度合い（圧力変化や面積の変化、移動量等）のパターンを検出し、接触の度合いのパターンに基づいて、表示部における情報の表示の度合い（スクロール、縮尺やサイズ変更、明度や輝度等）を制御する。【選択図】図２
2019032886.tif 000002
【特許請求の範囲】
【請求項１】
ユーザに対して情報を表示する表示部と、
前記表示部から離れて設置され、前記ユーザにより接触されている時の圧力を検出する検出部と、
前記圧力に応じて前記表示部における表示を制御する制御部と、
を備えることを特徴とする表示制御装置。
【請求項２】
請求項１に記載の表示制御装置において、
前記制御部は、前記圧力に応じて前記表示部に表示される情報の変化の変化量を異ならせるよう制御することを特徴とする表示制御装置。
【請求項３】
請求項２に記載の表示制御装置において、
前記情報の変化の変化量は、地図の縮尺の変化量であることを特徴とする表示制御装置。
【請求項４】
請求項２または３に記載の表示制御装置において、
前記制御部は、前記圧力が所定より大きい場合に、所定より小さい場合と比較して前記変化量が大きくなるよう制御することを特徴とする表示制御装置。
【請求項５】
請求項１に記載の表示制御装置において、
前記制御部は、前記接触の圧力が所定より小さい場合と所定より大きい場合とで、異なる種類の表示の制御を行うことを特徴とする表示制御装置。
【請求項６】
請求項５に記載の表示制御装置において、
前記制御部は、前記接触の圧力が所定より小さい場合には前記表示部に表示される地図の縮尺を変化させるよう制御し、前記接触の圧力が所定より大きい場合には前記表示部に表示される地図を回転させるよう制御することを特徴とする表示制御装置。
【請求項７】
地図情報を表示する表示部と、
前記表示部から離れて設置され、ユーザによる接触の圧力を検出する検出部と、
前記接触の圧力に応じて前記表示部に表示される地図の縮尺の変化量を異ならせる制御部と、
を備えることを特徴とする表示制御装置。
【請求項８】
表示部から離れて設置される検出部から、前記検出部によって検出されたユーザにより接触されている時の圧力を取得する取得部と、
前記圧力に応じて前記表示部に表示される表示情報を制御するための制御情報を出力する出力部と、
を備えることを特徴とする表示制御装置。
【請求項９】
表示手段が、ユーザに対して情報を表示部に表示する表示ステップと、
検出手段が、前記表示部から離れて設置され、前記ユーザにより接触されている時の圧力を検出する検出ステップと、
制御手段が、前記圧力に応じて前記表示部における表示を制御する制御ステップと、
を含むことを特徴とする表示制御方法。
【請求項１０】
コンピュータを、請求項１から請求項８のいずれか１項に記載の表示制御装置として機能させることを特徴とする表示制御装置用プログラム。
【発明の詳細な説明】
【技術分野】
【０００１】
本願は、表示制御装置、表示制御方法、および、表示制御装置用プログラムの技術分野に属する。より詳細には、ユーザに提示する表示を制御するための表示制御装置、表示制御方法、および、表示制御装置用プログラムの技術分野に属する。
【背景技術】
【０００２】
移動体の一例の車両の運転中に、ナビゲーション等の電子機器等を操作するための表示制御装置が開発されている。例えば、下記特許文献１には、タッチパネルにおいて検出された操作態様についての押圧の程度を示す押圧量を検出し、検出された押圧量に基づいて操作態様を細分化したうえで、細分化された操作態様のそれぞれについてあらかじめ対応付けられた処理への振り分けを行う表示装置が開示されている。
【先行技術文献】
【特許文献】
【０００３】
【特許文献１】特開２０１２−１１８８２５号公報
【発明の概要】
【発明が解決しようとする課題】
【０００４】
しかしながら、上記特許文献１に記載されている技術では、タッチパネルであるので、表示部と検出部とは重なっていて、タッチパネルの操作が直接表示に反映しやすいが、表示部と検出部とが、操作するユーザから見て平面的に離れている場合、直感的な操作が難しく、操作の調整という点に問題があった。
【０００５】
そこで本願は、上記の各問題点に鑑みて為されたもので、その課題の一例は、ユーザが表示を操作しやすい表示制御装置等を提供することにある。
【課題を解決するための手段】
【０００６】
上記課題を解決するため、請求項１に記載の発明は、ユーザに対して情報を表示する表示部と、前記表示部から離れて設置され、前記ユーザにより接触されている時の圧力を検出する検出部と、前記圧力に応じて前記表示部における表示を制御する制御部と、を備えることを特徴とする。
【０００７】
また請求項７に記載の発明は、地図情報を表示する表示部と、前記表示部から離れて設置され、ユーザによる接触の圧力を検出する検出部と、前記接触の圧力に応じて前記表示部に表示される地図の縮尺の変化量を異ならせる制御部と、を備えることを特徴とする。
【０００８】
また請求項８に記載の発明は、表示部から離れて設置される検出部から、前記検出部によって検出されたユーザにより接触されている時の圧力を取得する取得部と、前記圧力に応じて前記表示部に表示される表示情報を制御するための制御情報を出力する出力部と、を備えることを特徴とする。
【０００９】
また請求項９に記載の発明は、表示手段が、ユーザに対して情報を表示部に表示する表示ステップと、検出手段が、前記表示部から離れて設置され、前記ユーザにより接触されている時の圧力を検出する検出ステップと、制御手段が、前記圧力に応じて前記表示部における表示を制御する制御ステップと、を含むことを特徴とする。
【図面の簡単な説明】
【００１０】
【図１】実施形態に係る表示制御装置の概要構成の一例を示すブロック図である。
【図２】実施例に係る表示制御装置の概要構成の一例を示すブロック図である。
【図３】実施例に係る表示制御装置の取り付けの一例を示す模式図である。
【図４】図３の検出部における領域の一例を示す模式図である。
【図５】実施例に係る表示制御装置の機能構成の一例を示すブロック図である。
【図６】実施例に係る表示制御装置の動作の一例を示すフローチャートである。
【図７】図３の表示部における表示の一例を示す模式図である。
【図８】図３の検出部にユーザの指が触れる様子の一例を示す模式図である。
【図９】図３の表示部における表示の一例を示す模式図である。
【図１０】図３の表示部における表示の一例を示す模式図である。
【図１１】図３の検出部にユーザの指が触れた軌跡の一例を示す模式図である。
【図１２】図３の検出部にユーザの指が触れた接触の度合いのパターンの一例を示す模式図である。
【図１３】図３の検出部にユーザの指が触れた軌跡の一例を示す模式図である。
【図１４】図３の検出部にユーザの指が触れた接触の度合いのパターンの一例を示す模式図である。
【図１５】図３の検出部にユーザの指が触れた軌跡の一例を示す模式図である。
【図１６】図３の検出部にユーザの指が触れた接触の度合いのパターンの一例を示す模式図である。
【図１７】図３の表示部における表示の度合いの変形例を示す模式図である。
【図１８】図３の表示部における表示の度合いの変形例を示す模式図である。
【図１９】図３の表示部における表示の度合いの変形例を示す模式図である。
【図２０】図３の表示部における表示の度合いの変形例を示す模式図である。
【図２１】図３の表示部における表示の度合いの変形例を示す模式図である。
【図２２】図３の表示部における表示の度合いの変形例を示す模式図である。
【図２３】図３の表示部における表示の度合いの変形例を示す模式図である。
【発明を実施するための形態】
【００１１】
本願を実施するための形態について、図１を用いて説明する。なお図１は、実施形態に係る表示制御装置の概要構成の一例を示すブロック図である。
【００１２】
図１に示すように、表示制御装置１０は、表示部１０ａと、検出部１０ｂと、制御部１０ｃと、を備えて構成されている。
【００１３】
表示部１０ａは、ユーザに提示する情報を表示する。
【００１４】
表示部１０ａの一例として、液晶表示素子またはＥＬ（Electro Luminescence）素子等からなるカーナビゲーション装置の表示部、車両、自動二輪車、航空機、船舶等の移動体のダッシュボード部分の表示部、ヘッドアップディスプレイ（Head-Up Display）等が挙げられる。また、ヘッドアップディスプレイの方式として、移動体のウインドシールドに映し出したり、ユーザがかける眼鏡のレンズに映し出したりしてもよい。
【００１５】
また、ユーザの一例として、移動体の使用者が挙げられる。
【００１６】
また、ユーザに提示する情報の一例として、地図情報が挙げられる。さらに、ユーザに提示する情報の一例として、カーナビゲーション装置、空調装置、オーディオ装置、電話、インターネット閲覧用のブラウザ等の操作対象の操作項目が挙げられる。ここで、操作項目は、表示部１０ａに表示されるオブジェクトであり、一例として、操作対象の操作内容や選択肢等を示したアイコンや、アップやダウンや確定等を示すボタン、または、文字等を示したキー等が挙げられる。
【００１７】
検出部１０ｂは、表示部１０ａに対して、ユーザから見て平面的に離れて設置され、ユーザによる接触の度合いのパターンを検出する。
【００１８】
検出部１０ｂとして、例えば、静電容量方式、抵抗膜方式等を実現する素子により構成されるタッチパッドが挙げられる。なお、検出部１０ｂは、圧電素子が、タッチパッドのような接触面の裏面に貼り付けられ、接触面が押された際の歪みを計測する方法により、接触面に加わる圧力を検出してもよい。また、接触面に触れられている指の面積（接触の部分）の大きさから、圧力を検出してもよい。
【００１９】
接触の度合いの一例として、検出部１０ｂに加わる圧力や、接触の部分の面積の大きさ等が挙げられる。
【００２０】
接触の度合いのパターンの一例として、検出部１０ｂにおける接触の部分の移動に伴う接触の度合いのパターンや、検出部１０ｂに加わる圧力変化のパターンや、接触の部分の面積の大きさの変化のパターン、接触の部分の移動の移動量と接触の度合いとの組み合わせ、接触の度合いの強弱、接触の度合いの段階等が挙げられる。移動量として、検出部１０ｂにおける接触の軌跡の長さ、所定の検出時間における接触の１座標の直線距離の加算等が挙げられる。
【００２１】
また、表示部１０ａと検出部１０ｂとが、ユーザから見て平面的に離れて設置される一例として、検出部１０ｂが、移動体のステアリングに設置され、表示部１０ａが、移動体のダッシュボード部分や、ヘッドアップディスプレイとしてウインドシールドに設置されている例が挙げられる。タッチパネルのように、表示と検出とが一体となって、検出の動きと、表示の動きとが、重なっていなければよい。
【００２２】
制御部１０ｃは、接触の度合いのパターンに基づき、表示部１０ａにおける情報の表示の度合いを制御する。表示の度合いの一例として、地図のスクロールや回転等の地図の移動度合い（スクロール量や回転量）、地図の縮尺度合い（縮尺量）、アイコン等の操作項目の移動度合い（隣接した操作項目や、当該隣接した操作項目を１つ超えた操作項目等）、操作項目の大きさ度合い（面積、辺の長さ等）、操作項目の明るさの度合い（明度、輝度等）、操作項目の配置度合い（表示される操作項目の数等）、操作項目の文字の大小（文字のサイズ）等が挙げられる。
【００２３】
また、表示の度合い（変化量）は、現在の情報の表示状態を基準として、決定される。例えば、現在表示している地図の縮尺（表示倍率）に応じた変化量が決定され、縮尺が大きい地図表示の時は、変化量が大きく、小さい時は、変化量が大きくなるようにしてもよい。
【００２４】
また、表示制御装置１０は、カーナビゲーションなどの車載機器、自動車機器のコントローラ、ゲーム機、テレビリモコン等に適用可能である。
【００２５】
以上説明したように、実施形態に係る表示制御装置１０の動作によれば、接触の度合いのパターンによる操作の調整ができるので、ユーザが表示を直感的に操作しやすくなる。
【実施例】
【００２６】
［１．表示制御装置の構成および機能概要］
次に、上述した実施形態に対応する具体的な実施例について、図２から図５を用いて説明する。なお以下に説明する実施例は、移動体の一例である車両等に取り付けられた表示制御装置に対して、本願を適用した場合の実施例である。
【００２７】
図２は、実施例に係る表示制御装置の概要構成の一例を示すブロック図である。図３は、実施例に係る表示制御装置の取り付けの一例を示す模式図である。図４は、検出部１２における領域の一例を示す模式図である。図５は、実施例に係る表示制御装置の機能構成の一例を示すブロック図である。
【００２８】
図２に示すように、実施形態に係る表示制御装置１０の一例としての表示制御装置１０は、ユーザに提示する情報を表示する表示部１１と、ユーザの指等の接触を検出する検出部１２と、表示制御装置１０を制御するためのプログラム等を記憶する記憶部１３と、表示制御装置１０の外部との送受信を行う通信部１４と、検出部１２およびハンドルに振動を与える振動部１５と、表示制御装置１０を制御する制御部１６と、入出力インターフェース部１７と、を備えている。そして、制御部１６と入出力インターフェース部１７とは、システムバス１８を介して接続されている。
【００２９】
コンピュータとして機能する表示制御装置１０は、検出部１２で受け付けた接触の度合いのパターンに基づき、表示部１１における情報の表示の度合いを制御する。
【００３０】
表示部１１は、表示機能と位置入力機能を有するタッチパネルである。表示機能の部分は、例えば、液晶表示素子またはＥＬ素子等によって構成される。位置入力機能の部分は、例えば、静電容量方式、抵抗膜方式等を実現する素子により構成される。なお、表示部が、ヘッドアップディスプレイの場合、表示部は、投影手段と、投影手段から投影された画像を映し出すスクリーン手段（ウインドシールド、眼鏡のレンズ部等）とを有する。
【００３１】
また、表示部１１には、ナビゲーションのための地図情報が表示される。また、表示部１１には、カーナビゲーション装置、空調装置、オーディオ装置、電話、インターネット閲覧用のブラウザ等の操作対象を操作するための複数の操作項目が表示される。操作項目は、例えば、所定の操作対象の操作内容を表したアイコンである。
【００３２】
表示部１１は、例えば、カーナビゲーション装置の表示部である。なお、表示部１１は、他の装置の表示でもよく、または、表示制御装置１０専用の表示部でもよい。
【００３３】
検出部１２は、例えば、位置入力機能を有するタッチパッドである。位置入力機能の部分は、例えば、静電容量方式、抵抗膜方式等を実現する素子により構成される。そして、検出部１２は、位置入力機能により、ユーザの指等が接触または近接した検出部１２の面の位置情報を、所定の分解能の画素単位で取得する。
【００３４】
図４に示すように、検出部１２は、表示をスクロール領域１２ａと、ホームポジションを表示させるための領域１２ｂと、表示の拡大・縮小および縦回転させるための領域１２ｃと、表示を横回転させるための領域１２ｄと、を有する。
【００３５】
例えば、地図表示の場合、表示をスクロール領域１２ａがなぞられると、地図がなぞられた方向にスクロールする。また、ホームポジションを表示させるための領域１２ｂがタッチされると、現在位置の地図が所定の縮尺で表示される。また、矩形の領域１２ｃが、矩形の長手方向になぞられると、地図が拡大縮小、または、地図が３次元的な表示になり、縦方向に回転する。また、矩形の領域１２ｄが、矩形の長手方向になぞられると、地図がユーザの視点方向を軸として回転する。
【００３６】
なお、検出部１２は、表示機能と位置入力機能を有するタッチパネルでもよい。検出部１２は、圧電素子が、タッチパッドのような接触面の裏面に貼り付けられ、接触面が押された際の歪みを計測する方法により、接触面に加わる圧力を検出してもよい。
【００３７】
記憶部１３は、例えば、ハードディスクドライブやシリコンディスクドライブ等からなる。記憶部１３は、表示制御装置１０を制御するための各種プログラム等を記憶したりする。各種プログラムは、オペレーティングシステム、検出部１２で受け付けた接触の度合いのパターンに基づき、表示部１１における情報の表示の度合いを制御するプログラム等が挙げられる。なお、各種プログラムは、例えば、無線通信網等のネットワークを介して取得されるようにしてもよいし、ＣＤ（Compact Disc）、ＤＶＤ（Digital Versatile Disc）等の記録媒体に記録されてドライブ装置を介して読み込まれるようにしてもよい。
【００３８】
通信部１４は、車両の速度、車両の走行位置、車両のギアの状態等の走行に関連する走行関連情報を測定する機器、外部のネットワーク等と通信を制御する。なお、表示制御装置１０は、通信部１４を介して、操作対象を含む機器に接続している。
【００３９】
振動部１５は、振動機構を有し、検出部１２に振動を与える。
【００４０】
制御部１６は、例えば、ＣＰＵ（Central Processing Unit）１６ａと、ＲＯＭ（Read Only Memory）１６ｂと、ＲＡＭ（Random Access Memory）１６ｃと、を有する。制御部
１６は、ＣＰＵ１６ａが、ＲＯＭ１６ｂや、ＲＡＭ１６ｃや、記憶部１３に記憶された各種プログラムを読み出して実行する。
【００４１】
入出力インターフェース部１７は、検出部１２等の各部と制御部１６とのインターフェースである。
【００４２】
次に、図３に示すように、表示制御装置１０の検出部１２は、移動体の一例である車両のステアリング２０の表側に取り付けられている。
【００４３】
ステアリング２０は、ステアリングシャフト（図示せず）と接続されたステアリング本体部２１と、車両を運転するユーザが握る部分であり、リング形状を有するステアリングホイール部２２と、を有する。
【００４４】
検出部１２は、ステアリング本体部２１の表側において、中心部からステアリングホイール部２２側に取り付けられている。すなわち、ユーザがステアリングホイール部２２を握る際、ユーザの親指が検出部１２に触れることができる位置に検出部１２が、設置されている。ステアリングホイール部２２の回転位置が、車両の直進状態の位置の場合、ユーザが車両の運転席に座った際の、ステアリング本体部２１のユーザの右手側に、検出部１２が取り付けられる。なお、検出部１２の取り付け位置は、ユーザの左手側や、ステアリング本体部２１の中心部でもよい。
【００４５】
表示部１１は、カーナビゲーション装置の表示部であり、表示パネル１１ａ等を含む。
【００４６】
図３に示すように、表示部１１と検出部１２とは、車両を運転するユーザから見て平面的に離れて設置されている。ユーザが検出部１２を見ないで、ステアリングホイール部２２を握りながら、検出部１２に触れることが多い。
【００４７】
なお、振動部１５は、ステアリング２０の検出部１２の裏側に設置されている。
【００４８】
次に、表示制御装置１０の機能ブロックについて図５を用いて説明する。
【００４９】
図５に示すように、表示制御装置１０は、接触座標入力手段１０−１と、接触位置判定手段１０−２と、接触度合い測定手段１０−３と、表示スクロール判定手段１０−４と、ホームポジション判定手段１０−５と、表示拡大縮小回転判定手段１０−６と、画面表示手段１０−７と、振動発生手段１０−８と、を有する。
【００５０】
接触座標入力手段１０−１は、検出部１２におけるタッチパッドに対するユーザの接触を受け付ける機能等を有する。
【００５１】
接触位置判定手段１０−２は、接触座標入力手段１０−１に基づき、検出部１２におけるタッチパッドにおいて、ユーザが接触した位置の座標を判定する機能等を有する。
【００５２】
接触度合い測定手段１０−３は、検出部１２におけるタッチパッドに対する接触の度合いを測定する機能を有する。
【００５３】
表示スクロール判定手段１０−４は、接触位置判定手段１０−２における接触の位置に基づき、表示スクロールであるか否かを判定し、接触度合い測定手段１０−３の接触の度合いに応じて、スクロールの量を決める機能等を有する。
【００５４】
ホームポジション判定手段１０−５は、接触度合い測定手段１０−３の接触の度合いが所定以上か否かを判定し、接触位置判定手段１０−２における接触の位置に基づき、表示のホームポジションに戻るか否かを判定する機能等を有する。
【００５５】
表示拡大縮小回転判定手段１０−６は、接触位置判定手段１０−２における接触の位置と、接触度合い測定手段１０−３の接触の度合いとに基づき、表示の拡大か、表示の縮小か、表示の回転か否かを判定する機能等を有する。
【００５６】
画面表示手段１０−７は、表示スクロール判定手段１０−４の判定結果、ホームポジション判定手段１０−５の判定結果、および、ホームポジション判定手段１０−５の判定結果に基づき、表示部１１の表示を制御する。
【００５７】
振動発生手段１０−８は、ホームポジション判定手段１０−５の判定結果、および、表示拡大縮小回転判定手段１０−６の判定結果に基づき、検出部１２に振動を与える機能を有する。
【００５８】
［２．表示制御装置の動作］
（２．１  表示制御装置の動作例）
実施例に係る表示制御装置の動作について、図６から図１０を用い説明する。なお、表示が地図であり、表示の度合いが地図のスクロールである場合について説明する。表示のスクロールの他に、表示の拡大縮小、表示の回転でもよい。
【００５９】
図６は、実施例に係る表示制御装置１０の動作の一例を示すフローチャートである。図８は、検出部１２にユーザの指が触れる様子の一例を示す模式図である。図７、図９および図１０は、表示部１１における表示の一例を示す模式図である。
【００６０】
まず、表示制御装置１０は、情報を表示する。例えば、表示制御装置１０の制御部１６は、図７に示すように、ホームポジションとして、表示部１１の表示パネル１１ａに現在位置の地図が表示される。なお、表示部１１の表示パネル１１ａに初期設定等の複数の操作項目が表示されてもよい。
【００６１】
図６に示すように、表示制御装置１０は、接触の位置が移動（ムーブ）しているか否かを判定する（ステップＳ１）。具体的には、制御部１６が、接触の位置情報を取得するため、定期的に検出部１２のタッチパッドに指が触れている部分の座標位置を取得する。そして、制御部１６が、取得した座標位置と、前回取得した座標位置を比べて変化があるか否かを判定する。図８に示すように、指５を検出部のタッチパッドに接触させて移動させる。
【００６２】
表示制御装置１０は、接触座標入力手段１０−１の一例として、検出部１２におけるタッチパッドに対するユーザの接触を受け付ける機能を有する。また、表示制御装置１０は、接触位置判定手段１０−２の一例として、検出部１２におけるタッチパッドにおいて、ユーザが接触した位置の座標を判定する機能を有する。
【００６３】
なお、制御部１６が、接触の度合いを検出し、所定値を超えた場合、検出部１２に接触があったと判定する。
【００６４】
接触の位置が移動している場合（ステップＳ１；ＹＥＳ）、表示制御装置１０は、移動量が所定値以上か否かを判定する（ステップＳ２）。具体的には、制御部１６が、今回取得した座標位置と前回取得した座標位置の移動量を求める。例えば、所定値の閾値を５とした場合、検出部１２のタッチパッドの図中左上を（0,0）、右下を（1000,1000）とし、前回取得した座標が（100,100）、今回取得した座標が（110,100）ならば、移動量が１０となり、制御部１６は、移動量が所定値以上と判定する。
【００６５】
移動量が所定値以上でない場合（ステップＳ２；ＮＯ）、表示制御装置１０は、接触度合いを取得する（ステップＳ３）。例えば、制御部１６が、検出部１２で検出された圧力の値（接触度合いの一例）を取得する。検出部１２のタッチパッドにかかる物理的圧力値を取得する。物理的圧力値の範囲を０〜１００とする。
【００６６】
次に、表示制御装置１０は、接触度合い段階を決定する（ステップＳ４）。具体的には、制御部１６が、取得した物理的圧力値を元に、圧力値に応じて事前に定義された圧力段階を決定する。例えば、物理的圧力値が０〜９の時は圧力段階０、１０〜１９の時は１、・・・・・、９０〜１００の時は１０とする。すなわち、物理的圧力値が１０毎に、圧力の段階が１つ上がる。
【００６７】
一方、移動量が所定値以上である場合（ステップＳ２；ＹＥＳ）、表示制御装置１０は、接触度合いを取得する（ステップＳ５）。具体的には、制御部１６が、ステップＳ３のように、接触の度合いを取得する。
【００６８】
次に、表示制御装置１０は、接触度合いの増分が所定値以上か否かを判定する（ステップＳ６）。例えば、制御部１６が、今回取得した物理的圧力値と１回前のムーブ時に取得した物理的圧力値の増加分を求める。所定値より大きければ大、小さければ小とする。例えば、増加分が１０未満の時は小、１０以上の時は大とする。
【００６９】
接触度合いの増分が所定値以上の場合（ステップＳ６；ＹＥＳ）、表示制御装置１０は、接触度合いの段階を決定する（ステップＳ７）。具体的には、制御部１６が、１回前に決定された接触度合いの段階（例えば、圧力段階）に対して、求めた物理的圧力値の増加分から、接触度合いの段階を決定する。例えば、１回前に決定された圧力段階が３として、増加分が１０〜３０の時は圧力段階を＋１、３０〜５０の時は＋２とする。すなわち、物理的圧力値に対して、圧力の段階の上がり方が、ステップＳ４の処理に比べ抑制される。このように、スクロール量が急激に変化してしまう条件（指の移動量・圧力値の変化が共に大きい）時のみ、圧力段階の増え方を抑制することができる。
【００７０】
一方、接触度合いの増分が所定値以上でない場合（ステップＳ６；ＮＯ）、表示制御装置１０は、ステップＳ４の処理を行う。すなわち、物理的圧力値が１０毎に、圧力の段階が１つ上がる。
【００７１】
表示制御装置１０は、前記接触の部分の移動の量が所定値より小さい場合（ステップＳ２；ＮＯ）、または、前記接触の度合いが所定値より小さい場合（ステップＳ６；ＮＯ）に、ステップＳ４の処理を行う。
【００７２】
これらのように、表示制御装置１０は、接触度合い測定手段１０−３の一例として、検出部１２におけるタッチパッドに対する接触の度合いを測定する機能を有する。
【００７３】
次に、表示制御装置１０は、情報表示の補正値を決定する（ステップＳ８）。具体的には、制御部１６が、現在表示している地図の縮尺（表示部の表示状態の一例である情報の表示倍率）から縮尺補正値を決定する。例えば、縮尺が一番大きい地図表示の時は０．1
、一番小さい時は１とすると、縮尺補正は０．１〜１の間で変化する。この処理をすることで、大きな地図スクロールが必要のない地図表示の時には、接触の度合いに応じたスクロール量の増減を抑制し、縮尺が小さく大きな地図スクロールが必要になる場合がある時は、接触の度合いに応じてスクロール量を増減できる。
【００７４】
次に、表示制御装置１０は、情報表示の度合いを決定する（ステップＳ９）。表示のスクロール量や表示のスクロールの方向が決定される。具体的には、制御部１６が、求められた移動量、接触度合い段階（例えば、圧力段階）、情報表示の（例えば、縮尺補正値）に基づき、スクロール量を決定する。スクロール量は、移動量と、圧力値の組み合わせにより求められる。例えば、スクロール量は、座標の移動量×（１＋圧力段階×縮尺補正値）で求められる。地図がスクロールされる量は、座標の移動量と圧力値に比例して大きくなる。
【００７５】
そして、制御部１６が、今回取得した座標位置と前回取得した座標位置からスクロール方向を決定する。例えば、前回取得した座標が（１００,１００）、今回取得した座標が（１０５,１０５）だった場合、変化した分が（５,５)となるので右下４５°方向になる。
【００７６】
表示制御装置１０は、表示スクロール判定手段１０−４の一例として、接触度合い測定手段１０−３の接触の度合いに応じて、スクロールの量を決める機能を有する。
【００７７】
次に、表示制御装置１０は、情報表示を制御する（ステップＳ１０）。具体的には、制御部１６が、求められたスクロール量、スクロール方向に基づき、表示部１１に表示された地図をスクロールする。例えば、軽く触れたまま指を動かしため、検出部１２への指の圧力が弱く、スクロール量が少ない場合、図９に示すように、地図のスクロールが少なくなる。一方、強く押したまま指を動かしため、検出部１２への指の圧力が強く、スクロール量が多い場合、図１０に示すように、地図のスクロールが多くなる。
【００７８】
表示制御装置１０は、画面表示手段１０−７の一例として、表示スクロール判定手段１０−４の判定結果に基づき、表示部１１の表示を制御する機能を有する。
【００７９】
次に、表示制御装置１０は、リリースか否かを判定する（ステップＳ１１）。具体的には、制御部１６が、検出部１２に指が離れたか否かを判定するため、検出部１２の接触度合いを検出し、所定以上か否かを判定する。
【００８０】
なお、接触の位置が移動していない場合も（ステップＳ１；ＮＯ）、リリースか否かを判定する（ステップＳ１１）。
【００８１】
リリースと判定されない場合（ステップＳ１１；ＮＯ）、表示制御装置１０は、ステップＳ１の処理に戻り、座標位置を取得する。
【００８２】
リリースと判定される場合（ステップＳ１１；ＹＥＳ）、表示制御装置１０は、処理を終了し、次の接触の検出まで待機する。
【００８３】
以上説明したように、実施例に係る動作によれば、表示部１１と検出部１２とが、離れていても、ユーザによる接触の度合いのパターン（例えば、移動量と接触の度合いとの組み合わせ）に基づき、表示部１１における情報の表示の度合い（例えば、スクロール量）を制御することにより、接触の度合いのパターンによる操作の調整ができるので、ユーザが表示を直感的に操作しやすくなる。
【００８４】
また、遠い場所を見る場合でも、縮尺を変えるという手間を省き、圧力等の接触の度合いを加減するだけで目的の場所の地図を見ることができる。
【００８５】
また、接触の度合いのパターンが、検出部１２における接触の部分の移動に基づく場合、軽く触れながら移動させる、強く触れながら移動させる、触れる強弱を変えながら移動させる等の入力のパターンが増え、これらのパターンに応じた多様な表示の操作が可能になる。
【００８６】
また、制御部１６が、接触の部分の移動の量と接触の度合いとに応じた情報の表示の度合いを制御する場合、接触の部分の移動の量と接触の度合いとを組み合わせることにより、同じ移動の量でも、表示のスクロール量を変えられるので、表示操作の調整がしやすくなる。
【００８７】
また、接触の部分の移動の量が所定値以上、かつ、接触の度合いが所定値以上のとき、制御部１６が、前記接触の部分の移動の量が所定値より小さい、または、前記接触の度合いが所定値より小さい場合における前記情報の表示の度合いの変化に比べて、情報の表示の度合いの変化を小さくする場合、すなわち、情報の表示の度合いを抑える場合、スクロール量が急激に変化してしまう条件（指の移動量・圧力値の変化が共に大きい）時のみ、圧力段階の増え方を抑制することができる。
【００８８】
また、接触の度合いのパターンが、検出部１２に加わる圧力変化のパターンである場合、検出部１２に対する圧力により、より直感的に操作がしやすくなる。
【００８９】
また、スクロール量を決定する圧力値を多段階にすることで、移動量が滑らかに変化してくことでユーザの違和感を大幅に解消できる。
【００９０】
（２．２  接触の度合いの変形例）
次に、接触の度合いの変形例について、図１１から図１６を用いて説明する。
【００９１】
図１１、図１３、および図１５は、検出部１２にユーザの指が触れた軌跡の一例を示す模式図である。図１２、図１４、および図１６は、検出部１２にユーザの指が触れた接触の度合いのパターンの一例を示す模式図である。
【００９２】
図１１に示すように、ユーザの指が接触している部分の接触領域Ｃ１で接触を開始し、接触領域Ｃの軌跡ｔで移動し、接触領域Ｃ２でリリースした場合を想定する。
【００９３】
表示制御装置１０の制御部１６は、検出部１２の面において、ユーザの指が接触している部分の接触領域Ｃ１のｘ座標およびｙ座標の位置情報を検出部１２から取得する。接触領域Ｃの中心部分（ｘ１、ｙ１）等を、ステップＳ１の座標位置とする。
【００９４】
そして、制御部１６は、ステップＳ３およびステップＳ５の処理において、接触領域Ｃの面積や幅を求め、接触度合いを算出する。
【００９５】
ステップＳ１からステップＳ１１までのサイクルで、接触領域Ｃを検出し、接触領域Ｃの座標位置や面積等を算出して行く。移動量は、例えば、ステップＳ１からステップＳ１１までの１サイクルにおける触領域Ｃの座標位置の変化で求める。
【００９６】
図１２に示すように、移動量に対して、接触度合い変化のパターンとなる。なお、ステップＳ６の処理において、接触度合いの増分の代わりに、図１２に示すように、移動量に対する接触度合いが、閾値θを超えた場合、ステップＳ７の処理に進んでもよい。
【００９７】
検出部１２が圧力センサを有しなくても、同様な効果を得ることができる。
【００９８】
（２．３  表示の度合いの変形例）
次に、表示の度合いの変形例について、図１７から図２０を用いて説明する。
図１７から図２０は、表示部１１における表示の変形例を示す模式図である。
【００９９】
図１７に示すように、地図の代わりに、操作項目ｉが表示部１１に表示されていて、操作項目の表示の度合いが制御されてもよい。
【０１００】
まず、図１７に示すように、操作項目ｉおよびアクティブな操作項目ｉａが、ホームポジションとして、表示部１１の表示パネル１１ａに並んでいるとする。
【０１０１】
スクロール量が少ない場合、図１８に示すように、アクティブな操作項目ｉａの位置が変化する。スクロール量が多い場合、図１９に示すように、アクティブな操作項目ｉａの位置が変化する。
【０１０２】
なお、表示の度合いが、縮尺の場合、図２０に示すように、操作項目ｉの数が増え、操作項目ｉやアクティブな操作項目ｉａの大きさが小さくなってもよい。
【０１０３】
また、表示の度合いの一例として、画面の明るさや、操作項目の明るさ、表示されている文字の大きさ等でもよい。
【０１０４】
（２．４  表示の度合いの種類の変更）
次に、表示の度合いの種類、すなわち、表示のスクロールの他に、表示の拡大縮小、表示の回転等の変更について、図２１から図２３を用いて説明する。
【０１０５】
図２１から図２３は、表示部１１における表示の度合いの変形例を示す模式図である。
【０１０６】
まず、図４に示すように、検出部１２は、表示をスクロール領域１２ａと、ホームポジションを表示させるための領域１２ｂと、表示の拡大・縮小および縦回転させるための領域１２ｃと、表示を横回転させるための領域１２ｄと、を有している。
【０１０７】
ステップＳ１より前のステップで、検出部１２の領域１２ａ、領域１２ｂ、領域１２c、領域１２ｄのいずれの領域が接触されたか、制御部１６が判定して、表示の度合いの種類を振り分けてもよい。
【０１０８】
検出部１２の領域１２ｃを、圧力をかけず指５を軽く触れる程度で、縦にスライドさせた場合、地図が画面の中心を原点にして拡大または縮小されるようにしてもよい（例えば、上に指をスライドさせると拡大、下なら縮小）。領域１２ｃにおいて図中下に軽く触れて指５をスライドさせた場合、制御部１６は、図２１に示すように、地図を縮小させる。
【０１０９】
表示制御装置１０は、ホームポジション判定手段１０−５の一例として、接触位置判定手段１０−２における接触の位置に基づき、表示のホームポジションに戻るか否かを判定する機能を有する。また、表示制御装置１０は、表示拡大縮小回転判定手段１０−６の一例として、接触度合い測定手段１０−３の接触の度合いと基づき、表示の拡大か、表示の縮小か、表示の回転か否かを判定する機能を有する。
【０１１０】
検出部１２の領域１２ｃを、圧力をかけて指５を強く触れ、所定値以上の強さで縦にスライドさせた場合、図２２に示すように、地図が画面の中心を原点にして３次元的に縦回転するようにしてもよい（真上から見ている地図を斜めからみているように表示する）。
【０１１１】
検出部１２の領域１２ｄを、横にスライドさせた場合、図２３に示すように、地図が画面の中心を原点にして横に回転するようにしてもよい（例えば、右にスライドさせれば反時計周りに、左なら時計回りになる）。
【０１１２】
このように、検出部１２において接触を検出する部分が所定の領域に分けられ、制御部１６が、当該領域毎に情報の表示の度合いの種類を変更する場合、様々な画面操作ができる。
【０１１３】
なお、検出部１２の接触の位置座標が、ホームポジションを表示させるための領域１２ｂ内にある場合、制御部１６は、図７に示すように、現在位置を中心に、所定の縮尺で表示される。また、検出部１２の領域１２ａ、領域１２ｂ、領域１２c、領域１２ｄに応じ
て、振動発生手段１０−８により、振動部１５が振動してもよい。どの領域が選択されたか、振動パターンにより、ユーザに分かるようにしてもよい。
【符号の説明】
【０１１４】
１０：表示制御装置
１０ａ：表示部
１０ｂ：検出部 
１０ｃ：制御部
１１：表示部
１２：検出部
１６：制御部
【図１】
2019032886.tif 000003
【図２】
2019032886.tif 000004
【図３】
2019032886.tif 000005
【図４】
2019032886.tif 000006
【図５】
2019032886.tif 000007
【図６】
2019032886.tif 000008
【図７】
2019032886.tif 000009
【図８】
2019032886.tif 000010
【図９】
2019032886.tif 000011
【図１０】
2019032886.tif 000012
【図１１】
2019032886.tif 000013
【図１２】
2019032886.tif 000014
【図１３】
2019032886.tif 000015
【図１４】
2019032886.tif 000016
【図１５】
2019032886.tif 000017
【図１６】
2019032886.tif 000018
【図１７】
2019032886.tif 000019
【図１８】
2019032886.tif 000020
【図１９】
2019032886.tif 000021
【図２０】
2019032886.tif 000022
【図２１】
2019032886.tif 000023
【図２２】
2019032886.tif 000024
【図２３】
2019032886.tif 000025